(57)【要約】【課題】  検者が聴力検査の進行を把握しやすいオージオメータ用イヤホンおよびオージオメータを得る。【解決手段】  オージオメータ用のイヤホン１−１には、右側イヤホン部１１Ｒに対応する右側発光部１３Ｒと、左側イヤホン部１１Ｌに対応する左側発光部１３Ｌとが設けられており、メイン制御部４２は、検査音を発するイヤホン部を右側イヤホン部１１Ｒおよび左側イヤホン部１１Ｌから選択し、選択されているイヤホン部に対応する右側発光部１３Ｒまたは左側発光部１３Ｌを、検査音に応じた態様で発光させる。【選択図】  図２
2019071952.tif 000002
【特許請求の範囲】
【請求項１】
右側イヤホン部と、
左側イヤホン部と、
前記右側イヤホン部に対応する右側発光部と、
前記左側イヤホン部に対応する左側発光部と、
検査音を発するイヤホン部を前記右側イヤホン部および前記左側イヤホン部から選択し、選択されている前記イヤホン部に対応する前記右側発光部または前記左側発光部を、前記検査音に応じた態様で発光させる制御部と、
を備えることを特徴とするオージオメータ用イヤホン。
【請求項２】
前記制御部は、前記検査音に対する応答操作が検出されたときに、前記検査音に応じた態様とは異なる態様で、選択されていない前記イヤホン部に対応する前記右側発光部または前記左側発光部を発光させることを特徴とする請求項１記載のオージオメータ用イヤホン。
【請求項３】
前記イヤホン部の音圧を測定するマイクロホンをさらに備え、
前記制御部は、選択されている前記イヤホン部に対応する前記右側発光部または前記左側発光部を、前記マイクロホンにより測定された音圧に応じた態様で発光させること、
を特徴とする請求項１または請求項２記載のオージオメータ用イヤホン。
【請求項４】
前記右側発光部は、前記右側イヤホン部の右側フック部に設けられた右側発光素子を備え、
前記左側発光部は、前記左側イヤホン部の左側フック部に設けられた左側発光素子を備えること、
を特徴とする請求項１から請求項３のうちのいずれか１項記載のオージオメータ用イヤホン。
【請求項５】
請求項１から請求項４のうちのいずれか１項記載のオージオメータ用イヤホンと、
前記オージオメータ用イヤホンに前記検査音を発せさせる本体部と、
を備えることを特徴とするオージオメータ。
【発明の詳細な説明】
【技術分野】
【０００１】
本発明は、オージオメータ用イヤホンおよびオージオメータに関するものである。
【背景技術】
【０００２】
通常、オージオメータを使用する聴力検査では、検者は、オージオメータ本体部を操作してイヤホンで検査音を被験者へ提示し、検査の進行状況、応答操作、検査結果などをオージオメータ本体部の表示により確認している。また、聴力検査では、自動聴力検査プログラムに則ってオージオメータ自身が検査音の提示／非提示を制御する。このとき、検査音を出力しているかはオージオメータ本体部の音提示ランプ等で確認している。そして、周囲の騒音が十分に小さいことが必要であり、特に聴力検査室を使用しない選別聴力検査においては、周囲の騒音レベルを確認することが重要である。このため、オージオメータ本体部に環境騒音モニタを装備しているものがある。
【０００３】
有線式のオージオメータでは、イヤホンとオージオメータ本体部とがケーブルなどで接続されているが、イヤホンとオージオメータ本体部とが互いに無線で通信するコードレスオージオメータが注目されている（例えば特許文献１参照）。
【０００４】
あるオージオメータでは、ヘッドセット筐体の中央部分に発光ダイオード（ＬＥＤ）が設けられ、そのＬＥＤで電池の残量や充電量などの動作状態をオペレータに報知している(例えば特許文献２参照）。
【先行技術文献】
【特許文献】
【０００５】
【特許文献１】特許第６１２６２８９号公報
【特許文献２】米国特許第５１９７３３２号明細書
【発明の概要】
【発明が解決しようとする課題】
【０００６】
しかしながら、上述のオージオメータでは、ヘッドセットのＬＥＤで動作状態などをオペレータに報知しているものの、検者が、このヘッドセットのＬＥＤで検査の進行を把握するのは困難である。
【０００７】
コードレスオージオメータの場合、有線式のオージオメータに比べ、検者は、被験者から離れた位置で、被験者の様子を視覚的に確認することが想定される。そのため、検者が、検査の進行を把握するのはより困難である。
【０００８】
特に、自動聴力検査の場合、複数の被検者を同時に行う場合がある。その際、検査音の提示／非提示の状態と被検者の応答の有無をオージオメータ本体部で確認する構造では、本体の表示と被検者の対応状態とを確認しづらく、各被検者の自動聴力検査の進行状況を把握するのが困難である。
【０００９】
また、本来、監視すべき環境騒音レベルは被検者の近傍であるべきだが、オージオメータ本体部と被検者が離れた位置にいる場合、環境騒音モニタがオージオメータ本体部に設けられていると、被検者の近傍の騒音レベルを正確に測定できていない可能性がある。
【００１０】
本発明は、上記の問題に鑑みてなされたものであり、検者が聴力検査の正常な進行を把握しやすいオージオメータ用イヤホンおよびオージオメータを得ることを目的とする。
【課題を解決するための手段】
【００１１】
本発明に係るオージオメータ用イヤホンは、右側イヤホン部と、左側イヤホン部と、右側イヤホン部に対応する右側発光部と、左側イヤホン部に対応する左側発光部と、検査音を発するイヤホン部を右側イヤホン部および左側イヤホン部から選択し、選択されているイヤホン部に対応する右側発光部または左側発光部を、検査音に応じた態様で発光させる制御部とを備える。
【００１２】
さらに、本発明に係るオージオメータ用イヤホンは、イヤホン部の音圧を測定するマイクロホン（例えば、環境騒音測定用又は検査音モニタ用）を備え、制御部は、選択されているイヤホン部に対応する右側発光部または左側発光部を、マイクロホンにより測定された音圧に応じた態様で発光させるようにしてもよい。
【００１３】
本発明に係るオージオメータは、上述のオージオメータ用イヤホンと、そのオージオメータ用イヤホンに検査音を発せさせる本体部とを備える。
【発明の効果】
【００１４】
本発明によれば、検者が聴力検査の正常な進行を把握しやすいオージオメータ用イヤホンおよびオージオメータが得られる。
【図面の簡単な説明】
【００１５】
【図１】図１は、本発明の実施の形態１に係るオージオメータの構成を示す図である。
【図２】図２は、図１におけるイヤホン１−１の構成を示すブロック図である。
【図３】図３は、図１におけるイヤホン１−１の一例を示す斜視図である。
【図４】図４は、図２および図３における左側発光部１３Ｌを構成する部品を示す斜視図である（１／２）。
【図５】図５は、図２および図３における左側発光部１３Ｌを構成する部品を示す斜視図である（２／２）。
【図６】図６は、実施の形態１における右側発光部１３Ｒおよび左側発光部１３Ｌの発光態様の一例を示す図である。
【図７】図７は、図１における応答操作部２−１の構成を示すブロック図である。
【図８】図８は、図１における本体部３の構成を示すブロック図である。
【図９】図９は、本発明の実施の形態２に係るオージオメータの構成を示す図である。
【発明を実施するための形態】
【００１６】
以下、図に基づいて本発明の実施の形態を説明する。
【００１７】
実施の形態１．
【００１８】
図１は、本発明の実施の形態１に係るオージオメータの構成を示す図である。図１に示すオージオメータは、複数（ここでは５つ）のイヤホン１−１〜１−５、複数（ここでは５つ）の応答操作部２−１〜２−５、および本体部３を備える。１対のイヤホン１−ｉ（ｉ＝１，・・・，５）および応答操作部２−ｉが、１つの測定機器セットＤｉとされ、１人の被験者に割り当てられる。イヤホン１−ｉは、割り当てられた被験者に対して検査音を出力し、応答操作部２−ｉは、割り当てられた被験者により検査音が聞こえるときに操作される。ここでは、イヤホン１−ｉは、耳覆い形イヤホンである。
【００１９】
この実施の形態では、イヤホン１−１〜１−５と本体部３との間、応答操作部２−１〜２−５と本体部３との間、およびイヤホン１−１〜１−５と応答操作部２−１〜２−５との間は、いずれも、ケーブル接続されておらず物理的に分離しており、イヤホン１−１〜１−５と本体部３との間、および応答操作部２−１〜２−５と本体部３との間は無線通信によって接続されている。そのため、イヤホン１−１〜１−５、応答操作部２−１〜２−５、および本体部３は、それぞれ独立の電源を備え、イヤホン１−１〜１−５および応答操作部２−１〜２−５は、電源ケーブルを接続されずに電池を電源として使用し、聴力検査を行うことができる。
【００２０】
本体部３は、イヤホン１−１〜１−５との間で無線通信を行うとともに、イヤホン１−１〜１−５との間の無線通信とは独立して、応答操作部２−１〜２−５との間で無線通信を行う。実施の形態１では、本体部３は、検査音出力指令をイヤホン１−１〜１−５に供給しイヤホン１−１〜１−５に検査音を出力させるとともに、応答操作部２−１〜２−５に対する被験者の操作情報を取得する。例えば、本体部３は、時分割多重化方式で、複数セットＤ１〜Ｄ５のイヤホン１−１〜１−５および応答操作部２−１〜２−５との間でそれぞれ独立に無線通信を行う。
【００２１】
具体的には、１フレームを構成する所定数のタイムスロットのうちの特定のタイムスロットで検査音出力指令が、本体部３からすべてのイヤホン１−１〜１−５へ送信される。また、その所定数のタイムスロットのうちの複数の特定のタイムスロットで複数セットＤ１〜Ｄ５の応答操作部２−１〜２−５の操作情報が、応答操作部２−１〜２−５から本体部３へ順番に送信される。この検査音出力指令により、左側イヤホン部１１Ｌおよび／または右側イヤホン部１１Ｒの検査音の音圧レベル、検査音の周波数などが指定される。
【００２２】
イヤホン１−１〜１−５は、検査音出力指令により指定された検査音信号を生成し、その検査音信号によって検査音を出力する。このように、イヤホン１−１〜１−５において検査音信号（オーディオ信号）が生成されるため、無線通信に起因するノイズが検査音信号に重畳しにくくなる。
【００２３】
図２は、図１におけるイヤホン１−１の構成を示すブロック図である。図３は、図１におけるイヤホン１−１の一例を示す斜視図である。図２および図３に示すように、イヤホン１−１は、左側筐体１０Ｌを有する左側イヤホン部１１Ｌ、右側筐体１０Ｒを有する右側イヤホン部１１Ｒ、および左側筐体１０Ｌと右側筐体１０Ｒとを接続するヘッドバンド部１０Ｈを備える。
【００２４】
左側イヤホン部１１Ｌは、スピーカ１２Ｌを備え、スピーカ１２Ｌで被験者の左耳へ検査音を出力し、右側イヤホン部１１Ｒは、スピーカ１２Ｒを備え、スピーカ１２Ｒで被験者の右耳へ検査音を出力する。また、左側イヤホン部１１Ｌに対応して左側発光部１３Ｌが設けられており、右側イヤホン部１１Ｒに対応して右側発光部１３Ｒが設けられている。右側発光部１３Ｒおよび左側発光部１３Ｌは、それぞれ、聴力検査の進行に合わせて所定の態様（表示色、点滅パターンなど）で発光する。
【００２５】
この実施の形態では、左側発光部１３Ｌは、左側イヤホン部１１Ｌの左側フック部であって、その左側フック部に設けられた左側発光素子（例えばＬＥＤ）を備える。また、右側発光部１３Ｒは、右側イヤホン部１１Ｒの右側フック部であって、その右側フック部に設けられた右側発光素子（例えばＬＥＤ）を備える。
【００２６】
図４および図５は、図２および図３における左側発光部１３Ｌを構成する部品を示す斜視図である。なお、右側発光部１３Ｒも、左側発光部１３Ｌと同様の構成を有する。
【００２７】
左側発光部１３Ｌは、図４に示すような外側部材５１および図５に示すような内側部材５２を備える。内側部材５２は、外側部材５１の内側に固定される。
【００２８】
外側部材５１および内側部材５２は、それぞれ、屈曲した板形状を有し、透明または半透明な材質（例えば、ＰＥＴＧやアクリルなどの樹脂）である。
【００２９】
図４に示すように、外側部材５１は、その板形状の両端に、脚部６１、溝６２、および凹部６３を有する。脚部６１は、左側筐体１０Ｌに接続される部分である。溝６２は、内側部材５２が外側部材５１に固定される際の位置決めや補強等のための溝である。凹部６３は、上述の発光素子が配置される。さらに、表面にはブラスト処理やシボ加工によって微細な凹凸パターンを形成し、後述の光拡散部７３で乱反射した光をさらに拡散させ、発光素子から出射した光が様々な方向（検者の方向を含む）から視認可能となる。
【００３０】
また、図５に示すように、内側部材５２は、その板形状の両端に、突起７１、および凹部７２を有し、さらに、側面部５２ａに光拡散部７３を有する。突起７１は、内側部材５２が外側部材５１に固定される際の位置決めや補強等のための突起であり、溝６２の内部に配置される。凹部７２は、凹部６３に対向して配置され、凹部７２および凹部６３によって、略円筒状の穴が構成され、その穴に上述の左側発光素子が配置される。光拡散部７３は、その一部の表面（外側表面）に、波形状を有し、これにより、左側発光素子から出射した光が光拡散部７３で乱反射し、左側発光素子から出射した光が様々な方向（検者の方向を含む）から視認可能となる。
【００３１】
図２に戻り、さらに、この実施の形態では、左側イヤホン部１１Ｌは、さらに、電池ホルダ２１を備える。電池ホルダ２１には、電池２２（一次電池または二次電池）が装着されている。
【００３２】
また、この実施の形態では、右側イヤホン部１１Ｒは、さらに、発振部３１、減衰器３２、左側スピーカ１２Ｌ用の増幅器３３Ｌ、および右側スピーカ１２Ｒ用の増幅器３３Ｒを備える。
【００３３】
発振部３１は、制御信号により指定された周波数の信号を発振し、検査音信号として出力する回路である。減衰器３２は、制御信号により指定された減衰率で、発振部３１により出力された検査音信号の振幅を減少させる回路である。増幅器３３Ｌおよび増幅器３３Ｒは、それぞれ、制御信号により指定された増幅率で、発振部３１により出力された検査音信号の振幅を増加させる回路である。
【００３４】
さらに、この実施の形態では、イヤホン１−１は、通信部４１、メイン制御部４２、スイッチ４３、表示部４４、および電源制御部４５を備える。
【００３５】
通信部４１は、通信回路、アンテナなどを備え、上述の無線通信を実行し、検査音出力指令を受信しメイン制御部４２に供給するとともに、メイン制御部４２から供給される当該イヤホン１−１の電圧情報および出力音情報を送信する。ここで、出力音情報は、イヤホン部１１Ｌ，１１Ｒの出力音のレベルと周波数、検耳（右または左）、検査音出力の断続または連続、検査音出力指令による検査音のオン状態またはオフ状態（つまり、本体部３の音提示スイッチのオン状態またはオフ状態）、ノイズ設定（ノイズ出力またはノイズ断）、通信エラー検出の有無などを含む。
【００３６】
メイン制御部４２は、検査音出力指令に対応する制御信号を発振部３１、減衰器３２、および増幅器３３Ｌ，３３Ｒに供給して、検査音出力指令により指定された検査音信号（指定された周波数および音圧レベルの検査音信号）をスピーカ１２Ｌまたはスピーカ１２Ｒへ出力し、スピーカ１２Ｌまたはスピーカ１２Ｒから検査音を出力させる。なお、増幅器３３Ｌからスピーカ１２Ｌへ検査音信号を供給する場合、ヘッドバンド部を通って配置される信号ケーブルを介して増幅器３３Ｌからスピーカ１２Ｌへ検査音信号が供給される。
【００３７】
さらに、メイン制御部４２は、右側発光部１３Ｒおよび左側発光部１３Ｌを独立に制御して、聴力検査の進行に沿ってそれぞれを所定の態様で発光させる。
【００３８】
特に、メイン制御部４２は、（ａ）検査音を発するイヤホン部を右側イヤホン部１１Ｒおよび左側イヤホン部１１Ｌから選択し、（ｂ）右側発光部１３Ｒおよび左側発光部１３Ｌのうち、選択されているイヤホン部に対応する発光部（例えば、右側イヤホン部１１Ｒを選択した場合は右側発光部１３Ｒ）を、検査音のレベルに応じた態様で発光させる。
【００３９】
また、メイン制御部４２は、検査音に対する応答操作が応答操作部２−１で検出されたときに、検査音のレベルに応じた態様とは異なる態様で、右側発光部１３Ｒおよび左側発光部１３Ｌのうち、選択されていないイヤホン部に対応する発光部（例えば、右側イヤホン部１１Ｒを選択した場合は左側発光部１３Ｌ）を発光させる。
【００４０】
図６は、実施の形態１における右側発光部１３Ｒおよび左側発光部１３Ｌの発光態様の一例を示す図である。
【００４１】
メイン制御部４２は、右側発光部１３Ｒおよび左側発光部１３Ｌを、それぞれ独立に、例えば図６に示すように発光させる。
【００４２】
例えば、メイン制御部４２は、本体部３との通信確立時には所定時間、右側発光部１３Ｒおよび左側発光部１３Ｌの少なくとも一方を青色で点滅させる。
【００４３】
また、検査音提示側のイヤホン部については、メイン制御部４２は、検査音を提示している期間、その検査音のレベルに応じた色で発光部（右側発光部１３Ｒまたは左側発光部１３Ｌ）を点灯させる。例えば図６に示すように、検査音レベルが第１レベル範囲（例えば１１０ｄＢＨＬより高い範囲）内である場合には赤色で、検査音レベルが第２レベル範囲（例えば１１０ｄＢＨＬ以下でありかつ９０ｄＢＨＬより低い範囲）内である場合には黄色で、検査音レベルが第３レベル範囲（例えば９０ｄＢＨＬ以下である範囲）内である場合には緑色で、メイン制御部４２は、その発光部を点灯させる。また、検査音提示側のイヤホン部について、検査音を提示していない期間、メイン制御部４２は、その発光部を白色で点灯させる。
【００４４】
他方、検査音非提示側のイヤホン部については、メイン制御部４２は、応答操作が検出されている期間、橙色で発光部（右側発光部１３Ｒまたは左側発光部１３Ｌ）を点灯させる。また、検査音非提示側のイヤホン部について、応答操作が検出されていない期間、メイン制御部４２は、その発光部を白色で点灯させる。なお、応答操作の有無は、対応する応答操作部２−１から直接または本体部３を介して通知される。
【００４５】
したがって、当該イヤホン１−１が電源オンされた後、検査開始前は、（通信確立時を除き）右側発光部１３Ｒおよび左側発光部１３Ｌは、両方とも、白色で発光する。
【００４６】
なお、メイン制御部４２は、マイクロコンピュータ、デジタルシグナルプロセッサなどで実現される。
【００４７】
スイッチ４３は、当該イヤホン１−１を起動させるため操作を受け付けるスイッチである。表示部４４は、当該イヤホン１−１の電源オンなどの起動状態を表示するインジケータなどである。
【００４８】
電源制御部４５は、ヘッドバンド部を介して電池ホルダ２１（つまり電池２２）に電気的に接続されており、スイッチ４３に対する操作、通信状態などに応じて、当該イヤホン１−１の動作モードを切り替えて選択し、現時点で選択している動作モードに対応する内部回路（右側発光部１３Ｒ、左側発光部１３Ｌ、通信部４１、メイン制御部４２、表示部４４など）に、電池２２からの電源電力を供給する。
【００４９】
なお、電源制御部４５は、電池２２の電圧を測定し、測定した電圧を示す電圧情報をメイン制御部４２に供給し、メイン制御部４２は、その電圧情報を通信部４１に供給する。
【００５０】
このように、イヤホン１−１は、電源としての電池２２の電力で動作する。そして、複数セットＤ１〜Ｄ５のイヤホン１−１〜１−５は、それぞれ、イヤホン１−１〜１−５の電源（電池２２）の電源電圧を測定し、測定されたイヤホン１−１〜１−５の電源電圧を示す電圧情報を、１フレーム内の１つの特定のタイムスロットを使用して、順番に、所定数のフレームを１周期として繰り返し送信する。
【００５１】
この実施の形態では、電池ホルダ２１および電池２２は、左側イヤホン部１１Ｌに配置されているが、右側イヤホン部１１Ｒに配置されるようにしてもよい。また、この実施の形態では、発振部３１、減衰器３２、増幅器３３Ｌ，３３Ｒ、通信部４１、メイン制御部４２、スイッチ４３、表示部４４、および電源制御部４５は、右側イヤホン部１１Ｒに配置されているが、これらの一部または全部が左側イヤホン部１１Ｌに配置されるようにしてもよい。
【００５２】
なお、残りのイヤホン１−２〜１−５も、イヤホン１−１と同様の構成を有する。
【００５３】
図７は、図１における応答操作部２−１の構成を示すブロック図である。図７に示すように、応答操作部２−１は、被験者に操作される応答ボタン８１、通信部８２、電池ホルダ８３（および電池ホルダ８３に装着される一次電池または二次電池である電池８４）、並びに電源制御部８５を備える。
【００５４】
例えば、応答ボタン８１は、押下されている期間のみオン状態となるプッシュボタン型のスイッチである。
【００５５】
通信部８２は、通信回路、アンテナなどを備え、上述の無線通信を実行し、応答ボタン８１に対する操作の有無を示す操作情報、および電源制御部８５により供給される電圧情報を送信する。
【００５６】
電源制御部８５は、電池ホルダ８３（つまり電池８４）に電気的に接続されており、応答ボタン８１に対する操作、通信状態などに応じて、当該応答操作部２−１の動作モードを切り替えて選択し、現時点で選択している動作モードに対応する内部回路（通信部８２など）に、電池８４からの電源電力を供給する。なお、電源制御部８５は、電池８４の電圧を測定し、測定した電圧を示す電圧情報を通信部５２に供給する。
【００５７】
なお、残りの応答操作部２−２〜２−５も、応答操作部２−１と同様の構成を有する。
【００５８】
図８は、図１における本体部３の構成を示すブロック図である。図８に示すように、本体部３は、通信部９１、メイン制御部９２、スイッチ９３、表示部９４、操作部９５、電源制御部９６、および電源９７を備える。
【００５９】
通信部９１は、通信回路、アンテナなどを備え、上述の無線通信を実行し、上述の検査音出力指令を送信し、上述の操作情報および電圧情報を受信する。
【００６０】
メイン制御部９２は、通信部９１を使用して、複数の測定機器セットＤ１〜Ｄ５のイヤホン１−１〜１−５へ検査音出力指令を送信し、応答操作部２−１〜２−５から操作情報を受信することで、複数の被験者の聴力検査を実行する。
【００６１】
なお、メイン制御部９２は、マイクロコンピュータ、デジタルシグナルプロセッサなどで実現される。
【００６２】
スイッチ９３は、本体部３を起動させるためにオペレータにより操作されるスイッチである。
【００６３】
表示部９４は、インジケータ、液晶ディスプレイなどで、聴力検査の結果（オージオグラムなど）などを表示する。操作部９５は、ハードキーなどでオペレータの操作を受け付ける。メイン制御部９２は、操作部９５により受け付けられたオペレータの操作に従って、通信部９１に検査音出力指令を送信させるとともに、通信部９１により受信された操作情報などに基づき聴力検査の結果などを表示部９４に表示させる。
【００６４】
電源制御部９６は、電源９７に電気的に接続されており、スイッチ９３に対する操作、通信状態などに応じて、当該本体部３の動作モードを切り替えて選択し、現時点で選択している動作モードに対応する内部回路（通信部９１、メイン制御部９２、表示部９４など）に、電源９７からの電源電力を供給する。電源９７は、電池、またはＡＣ商用電源からＤＣ電力を生成する電源回路である。
【００６５】
なお、本体部３とイヤホン１−１〜１−５および応答操作部２−１〜２−５との間の無線通信は、例えば、特許第６１２６２８９号公報に記載されている時分割多重通信で行うことができる。
【００６６】
なお、この実施の形態では、測定機器セットＤ１〜Ｄ５が５つであるが、特に限定されるものではない。
【００６７】
次に、実施の形態１に係るオージオメータの動作について説明する。
【００６８】
まず、聴力検査に使用されるイヤホン１−１〜１−５の電源がオンされる。電源がオンされると、イヤホン１−１〜１−５のメイン制御部４２は、右側発光部１３Ｒおよび左側発光部１３Ｌの発光を開始する。この時点では、まだ、イヤホン１−１〜１−５と本体部３との通信が確立されていないので、メイン制御部４２は、右側発光部１３Ｒおよび左側発光部１３Ｌを白色で点灯させる。
【００６９】
他方、本体部３は、電源がオンされると、無線通信のエリア内に存在する測定機器セットＤ１〜Ｄ５を検出する。なお、例えば図１に示す場合では、本体部３は、最大で、５つの測定機器セットＤ１〜Ｄ５を使用して聴力検査を行うことができる。また、本体部３は、上限数（ここでは５）未満の測定機器セットＤｉを使用して聴力検査を行ってもよい。その場合、上述のインターバルにおいて追加の測定機器セットＤｊが検出されたときには、本体部３は、追加の測定機器セットＤｊを聴力検査に追加する。
【００７０】
このとき、本体部３との通信が確立したメイン制御部４２は、所定時間、右側発光部１３Ｒおよび左側発光部１３Ｌを青色で点滅させる。所定時間経過後、メイン制御部４２は、検査音の提示時および応答操作の検出時以外は、右側発光部１３Ｒおよび左側発光部１３Ｌを白色で点灯させる。
【００７１】
そして、本体部３は、検出された測定機器セットＤ１〜Ｄ５に対して、操作部９５に対するオペレータの操作により指定された検査音出力指令、あるいは自動聴力検査プログラムに従って決定した検査音出力指令を、すべてのイヤホン１−１〜１−５へ送信する。イヤホン１−１〜１−５のメイン制御部４２は、検査音出力指令を受信すると、その検査音出力指令により指定される検査音信号（オーディオ信号）を生成し、その検査音信号に基づいて、その検査音出力指令により指定されるイヤホン部のスピーカ（左側イヤホン部１１Ｌのスピーカ１２Ｌまたは右側イヤホン部１１Ｒのスピーカ１２Ｒ）から検査音を出力する。このとき、メイン制御部４２は、検査音のレベルに応じた色で、その提示側のイヤホン部の発光部（右側発光部１３Ｒまたは左側発光部１３Ｌ）を点灯させる。
【００７２】
他方、応答操作部２−１〜２−５は、それぞれ、被験者が応答ボタン８１を押下しているか否かを監視し、応答ボタン８１の押下の有無を示す操作情報を送信する。このとき、対応するイヤホン１−１〜１−５は、本体部３を介して、その操作情報を受信する。各イヤホン１−１〜１−５のメイン制御部４２は、その操作情報に基づいて、応答操作が検出されているときには、非提示側のイヤホン部の発光部（右側発光部１３Ｒまたは左側発光部１３Ｌ）を別の色（橙色）で点灯させる。
【００７３】
以上のように、上記実施の形態１によれば、オージオメータ用のイヤホン１−１〜１−５には、右側イヤホン部１１Ｒに対応する右側発光部１３Ｒと、左側イヤホン部１１Ｌに対応する左側発光部１３Ｌとが設けられており、メイン制御部４２は、検査音を発するイヤホン部を右側イヤホン部１１Ｒおよび左側イヤホン部１１Ｌから選択し、右側発光部１３Ｒおよび左側発光部１３Ｌのうち、選択されているイヤホン部に対応する右側発光部１３Ｒまたは左側発光部１３Ｌを、検査音のレベルに応じた態様で発光させる。
【００７４】
これにより、検者は、被験者の状態を見ながら視線をほとんど変えずに右側発光部１３Ｒおよび左側発光部１３Ｌの発光状態を視認できるため、検者が聴力検査の正常な進行を把握しやすい。
【００７５】
実施の形態２．
【００７６】
図９は、本発明の実施の形態２に係るオージオメータの構成を示す図である。なお、実施の形態２に係るオージオメータにおける各機器（イヤホン１−１〜１−５、応答操作部２−１〜２−５および本体部３）の基本的な構成および動作は、実施の形態１のものと同様であるが、以下の点で異なる。
【００７７】
実施の形態２では、実施の形態１と同様の時分割多重化方式での無線通信が実行される。ただし、実施の形態１では、応答操作部２−１〜２−５が送信した操作情報および電圧情報は、本体部３により受信されているが、実施の形態２では、応答操作部２−１〜２−５が送信した操作情報は、本体部３ではなく、対応するイヤホン１−１〜１−５によりそれぞれ受信される。そして、応答操作部２−１〜２−５が送信した電圧情報は、対応するイヤホン１−１〜１−５および本体部３によりそれぞれ受信される。つまり、例えば、応答操作部２−１が送信した操作情報は、対応するイヤホン１−１により受信され、本体部３および他のイヤホン１−２〜１−５には受信されない。そして、応答操作部２−１が送信した電圧情報は、対応するイヤホン１−１および本体部３により受信され、他のイヤホン１−２〜１−５には受信されない。なお、例えば、応答操作部２−１が送信した電圧情報を、本体部３でなく、対応するイヤホン１−１のみで受信するようにしてもよい。
【００７８】
例えば、複数セットＤ１〜Ｄ５における応答操作部２−１〜２−５とイヤホン１−１〜１−５とは、それぞれ、時分割多重化方式における１フレームを構成する所定数のタイムスロットのうちの互いに異なる特定のタイムスロットで無線通信を行う。そして、各イヤホン１−ｉ（ｉ＝１，・・・，５）は、その無線通信で、被験者に対して検査音を出力し、対応する応答操作部２−ｉに対する被験者の操作情報をその応答操作部２−ｉから取得する。
【００７９】
なお、実施の形態２における本体部３とイヤホン１−１〜１−５と応答操作部２−１〜２−５との間の無線通信は、例えば、特許第６１２６２８９号公報に記載されている時分割多重通信で行うことができる。
【００８０】
実施の形態２では、本体部３は、イヤホン１−１〜１−５との間で無線通信を行うことで、（ａ）イヤホン１−１〜１−５へ検査開始指令を送信し、（ｂ）測定機器セットＤ１〜Ｄ５におけるそれぞれの聴力検査完了後、イヤホン１−１〜１−５から検査結果を受信する。
【００８１】
各イヤホン１−ｉ（ｉ＝１，・・・，５）は、その検査開始指令を受信すると、自動聴力検査プログラムに従って、複数の検査音を順番に出力し、応答操作部２−ｉから取得した操作情報に基づいて検査結果を特定し、聴力検査の完了後、特定した検査結果を送信する。例えば、自動聴力検査プログラムに従って、自動閾値検査、自動選別検査などの自動聴力検査が行われる。
【００８２】
自動聴力検査では、イヤホン１−１〜１−５のメイン制御部４２は、提示側の発光部（右側発光部１３Ｒまたは左側発光部１３Ｌ）については、非提示時には、その提示側の発光部を手動聴力検査とは異なる態様で発光させる（ここでは白色の代わりに紫色で点灯させる）。また、自動聴力検査では、イヤホン１−１〜１−５のメイン制御部４２は、非提示側の発光部（右側発光部１３Ｒまたは左側発光部１３Ｌ）については、非応答時には、その非提示側の発光部を手動聴力検査とは異なる態様で発光させる（ここでは白色の代わりに紫色で点灯させる）。
【００８３】
さらに、自動聴力検査の完了時、イヤホン１−１〜１−５のメイン制御部４２は、右側発光部１３Ｒおよび左側発光部１３Ｌの少なくとも一方を、さらに別の態様で発光させる（ここでは、水色で点灯させる）。
【００８４】
以上のように、上記実施の形態２によれば、自動聴力検査で複数の被験者（測定機器セットＤｉ）で進行状況が異なっていても、検者は、各被験者の状態を見ながら視線をほとんど変えずに右側発光部１３Ｒおよび左側発光部１３Ｌの発光状態を視認できるため、検者が複数の被験者の聴力検査の進行を把握しやすい。
【００８５】
実施の形態３．
【００８６】
実施の形態３に係るオージオメータのイヤホン１−１〜１−５は、環境騒音測定用のマイクロホンをさらに備える。なお、このマイクロホンは、例えば、筐体１０Ｌ，１０Ｒ内部でスピーカ１２Ｌ，１２Ｒの周囲（例えば、音出力側）に配置される。また、このマイクロホンは、スピーカ１２Ｌ，１２Ｒからの検査音の出力の確認にも使用可能である。
【００８７】
実施の形態３では、イヤホン１−１〜１−５のメイン制御部４２は、（ａ）マイクロホンの出力信号を取得し、その出力信号に基づいて、環境騒音のレベルを特定し、（ｂ）検査音提示のための選択されているイヤホン部に対応する発光部（右側発光部１３Ｒまたは左側発光部１３Ｌ）を、環境騒音測定時に、上述のマイクロホンにより測定された環境騒音のレベルに応じた態様で発光させる。ここでは、メイン制御部４２は、提示側の発光部を環境騒音のレベルに応じた色で点灯させる。例えば、環境騒音のレベルが第１範囲の場合には緑色、環境騒音のレベルが第１範囲より低い第２範囲の場合には黄色、環境騒音のレベルが第２範囲より低い第３範囲の場合には赤色で、メイン制御部４２は、提示側の発光部を点灯させる。
【００８８】
例えば、検者などの操作に基づいて環境騒音測定モードが選択されているときには、上述のように、メイン制御部４２は、提示側の発光部を、上述のマイクロホンにより測定された環境騒音のレベルに応じた態様で発光させ、検者などの操作に基づいて聴力検査モードが選択されているときには、メイン制御部４２は、提示側の発光部を、実施の形態１，２のように検査音のレベルに応じた態様で発光させる。
【００８９】
なお、環境騒音測定モードおよび聴力検査測定モードは、イヤホン１−１〜１−５に対する操作に基づいて選択されるようにしてもよいし、本体部３からの指令に基づいて選択されるようにしてもよい。
【００９０】
なお、実施の形態３に係るオージオメータのその他の構成および動作については、実施の形態１または実施の形態２と同様であるので、その説明を省略する。
【００９１】
以上のように、上記実施の形態３によれば、必要に応じて、イヤホン１−１〜１−５で環境騒音測定を行えるとともに、検者はその測定結果を視認することができる。また、複数の被験者の聴力検査を並行して行う場合には、複数の被験者の位置によって環境騒音のレベルが異なる可能性があるが、複数の被験者が装着しているイヤホン１−１〜１−５で環境騒音測定を行えるので、各被験者についての環境騒音のレベルが正確に測定される。
【００９２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００９３】
例えば、上記実施の形態１〜３において、右側発光部１３Ｒおよび左側発光部１３Ｌは、それぞれ、左側イヤホン部１１Ｌおよび右側イヤホン部１１Ｒに設けられているが、それぞれ、左側イヤホン部１１Ｌおよび右側イヤホン部１１Ｒに隣接してヘッドバンド部に設けてもよい。
【００９４】
また、上記実施の形態１〜３では、メイン制御部４２は、右側発光部１３Ｒおよび左側発光部１３Ｌを、ＲＧＢカラーＬＥＤで複数の態様として各種色を発光（点灯または点滅）させているが、その代わりに単色のＬＥＤで複数の態様として各種点滅パターンで発光させるようにしてもよい。
【００９５】
さらに、上記実施の形態１〜３は、コードレスオージオメータであるが、本発明を有線式のオージオメータに適用してもよい。
【００９６】
さらに、上記実施の形態１〜３において、メイン制御部４２は、電池電圧低下、通信リンク切れ、起動エラーなどの異常イベントを検出した場合、異常イベントの種別に応じた態様で、右側発光部１３Ｒおよび左側発光部１３Ｌを発光させるようにしてもよい。
【００９７】
さらに、上記実施の形態１〜３において、イヤホン１−１〜１−５に、気導イヤホンとしてのイヤホン部１１Ｌ，１１Ｒの他に骨導イヤホンおよび加速度センサを設け、加速度センサの出力信号に基づいて骨導イヤホンの異常を検出した場合、その異常に対応する態様で、右側発光部１３Ｒおよび左側発光部１３Ｌを発光させるようにしてもよい。
【００９８】
さらに、上記実施の形態３において、環境騒音測定用のマイクロホンを検査音のモニタ用とし、聴力検査モードにおいて検査音のレベル異常や検査音を発していないなどの異常イベントを検出した場合、異常イベントの種別に応じた態様で、右側発光部１３Ｒおよび左側発光部１３Ｌを発光させるようにしてもよい。
【産業上の利用可能性】
【００９９】
本発明は、例えば、複数の被験者に対して並行して聴力検査を行うコードレスオージオメータに適用可能である。
【符号の説明】
【０１００】
１−１〜１−５  イヤホン（オージオメータ用イヤホンの一例）
３  本体部
１１Ｌ  左側イヤホン部
１１Ｒ  右側イヤホン部
１３Ｌ  左側発光部
１３Ｒ  右側発光部
４２  メイン制御部（制御部の一例）
【図１】
2019071952.tif 000003
【図２】
2019071952.tif 000004
【図３】
2019071952.tif 000005
【図４】
2019071952.tif 000006
【図５】
2019071952.tif 000007
【図６】
2019071952.tif 000008
【図７】
2019071952.tif 000009
【図８】
2019071952.tif 000010
【図９】
2019071952.tif 000011